(57)【特許請求の範囲】
【請求項１】
プレートの下面に形成した多数のピンをベース部材に挿入してプレートをベース部材に係合可能とした歯科技工用作業模型の基台において、前記ベース部材の上面に前記プレートとほぼ同形のランドを形成し、前記プレート下面とランド上面とに、前記それぞれのピンの位置に対応して互に密着して嵌り合う凹凸をプレート及びランドの前縁に形成したことを特徴とする基台。
【請求項２】
前記ピンを有するプレートとベース部材が軽い締り嵌め又は軽い圧入の手段で係合一体化していることを特徴とする請求項１に記載の作業模型の基台。
【請求項３】
前記凹凸をプレート及びランドのピンを挟む前後縁に形成した請求項１又は２に記載の作業模型の基台。
【請求項４】
前記凹凸の形状が前記ピンの方向に深さ又は高さが小さくなるようにしたことを特徴とする請求項１〜３のいずれかに記載の作業模型の基台。
【請求項５】
前記凹凸が前記ピンの方向に先端が狭くなるようにした請求項１〜４のいずれかに記載の作業模型の基台。
【請求項６】
前記凹凸の横断面が、半円弧状をなしている請求項１〜５のいずれかに記載の作業模型の基台。
【請求項７】
前記プレートとベース部材の色彩を異ならしめた請求項１〜６のいずれかに記載の作業模型の基台。
【発明の詳細な説明】
【０００１】
【発明の属する技術分野】
この発明は、歯科補綴物等を作製する場合に用いる作業模型の基台に関する。
【０００２】
【従来の技術】
従来、歯科補綴物を作製する場合、患者の口腔からとった歯形陰型に基づいて石膏で印象模型（歯形模型）を形成し、この印象模型の下面を平坦に削って孔をあけ、ダウエルピンを挿入して接着剤で固着し、必要に応じて回転防止溝を形成した後、印象模型の下面やダウエルピンに離型剤（例えば界面活性剤）を塗布して、予め石膏ペーストを充填した基台用シリコーンゴム型に押し込み、石膏ペーストが硬化した後、脱型して歯科技工用作業模型を作製している。
【０００３】
【発明の課題】
このように、作業模型を作製するためには、印象模型の孔あけ、ダウエルピンの整列埋め込み、回転防止溝の形成、基台との一体成形など、熟練と時間を要する手作業が多く作業性が悪いため、印象模型と基台との間に、予め多数のダウエルピンを整列配置した中間部材を介在させることが提案されている（例えば特開平６−２２９８８号公報、特開平１０−２０１７７４号公報）。
【０００４】
ところが、補綴物を作製するための成形型用歯形ブロックを作業模型から切り出す際に、隣接する歯形部と完全に切り離さないと、作業模型から前記歯形ブロックだけを分離することができないが、中間部材が非常に厚いものであったり、中間部材が基台の石膏に埋もれてしまうため、カッタで切断する際に基台の深くまで切り込まないと中間部材を確実に切り離すことができない問題がある。また、ピンが基台内に隠れているため、切り出しの際にピンの位置が判らず、ピンを切断してしまうことがある。
【０００５】
そこで、この発明の課題は、歯形ブロックの切り出しが確実かつ容易にでき、ピンの位置も明確に判別できるようにした作業模型の基台を提供することである。
【０００６】
【課題の解決手段】
上記の課題を解決するため、この発明は、プレートの下面に形成した多数のピンをベース部材に挿入してプレートをベース部材に係合可能とした歯科技工用作業模型の基台において、前記ベース部材の上面に前記プレートとほぼ同形のランドを形成し、前記プレート下面とランド上面とに、前記それぞれのピンの位置に対応して互に密着して嵌り合う凹凸をプレート及びランドの前縁に形成した構成を採用したのである。特にプレートとベース部材は係合一体化したものとして、取り扱い時に分離しないようにしておく。
【０００７】
前記凹凸をプレート及びランドのピンを挟む前後縁に形成しておくことができる。また、凹凸の形状をピンの方向に深さ又は高さが小さくなるか、或はピンの方向に先端が狭くなるようにしておくのが好ましく、さらに凹凸の横断面を半円弧状にしておくのがよい。そのほか、前記プレートとベース部材の色彩を異ならしめておくと識別が容易である。
【０００８】
【実施の形態】
以下、この発明の実施形態を添付図面に基づいて説明する。図１乃至図４に示すように、この発明の基台は、ベース部材１０と、このベース部材１０に係合された連結ピン部材２０より成る。ベース部材１０は、図示しない咬合器に取り付けられる１０〜１５ｍｍ程度の厚みを有するほぼ半楕円形のベース１１の上面にほぼ馬蹄形のランド（段丘部）１２が形成され、このランド１２の前縁に突起１３が設けられ、この突起１３に対応して後述するピンの挿入孔１４が形成されている。前記ランド１２は、厚さ（高さ）が１〜２ｍｍ程度あれば充分である。
【０００９】
前記連結ピン部材２０は、前記ランド１２とほぼ同形の馬蹄形プレート２２の下面に多数のピン２４を一体に設けたものであって、プレート２２の下面には、前記ベース部材１０の突起１３が丁度嵌り込む凹部２３がプレート２２の前縁に設けられている。従ってこの凹部２３の位置は、ピン２４の位置に対応している。また、プレート２２の上面は平坦になっているが粗面化しておくのが好ましい。このプレート２２の厚みは２〜３ｍｍ程度である。
【００１０】
前記ベース部材１０の材料は、石膏のほか合成樹脂や軽金属でもよく、連結ピン部材２０の材料も合成樹脂やアルミニウムなどの軽金属等が用いられる。部材１０及び２０は、共に一体成形品であるが、まず連結ピン部材２０を一体成形し、これに離型剤を塗布した後インサート成形の要領でベース部材１０を成形すると、凹部２３に対応して突起１３が形成され、ピン２４に対応してピン挿入孔１４が形成される。そして、運送や展示、或は作業模型作製等の取り扱い時の衝撃で連結ピン部材２０がベース部材１０から簡単に外れないように、軽く締り嵌め又は軽く圧入されるごとく両者を係合しておくのが好ましい。勿論、後述する歯形ブロックを切り出した後は、そのブロックをベース１１から容易に抜き取ることができる程度にしておく必要がある。
【００１１】
図３及び図４に示すように、前記突起１３は、それぞれのピン挿入孔１４に対応させ、その前後に一対設けると、回転防止効果がより高くなる。そして図３のように、それぞれの突起１３ａ、１３ｂをピン挿入孔１４に向って、即ち内側方向に高さが低くなるよう傾斜させておくのがよい。この傾斜に対応して、凹部２３ａ、２３ｂもピン２４の方向に深さを浅くしてある。また突起１３ａ、１３ｂ及び凹部２３ａ、２３ｂの平面形状も、ピン２４の方向に狭くなるテーパ状で、かつ横断面形状は半円形又は半楕円形のような半円弧状になっている。突起１３ａ、１３ｂ及び凹部２３ａ、２３ｂの全体形状をこのようにすると、連結ピン部材２０がベース部材１０にぴったりと密着し易く、切り出した歯形ブロックをベース１１から抜き取った後、再び嵌め込む等の取り扱い時に位置ずれが生じないので、歯科補綴物等の咬合等に狂いが生じない。
【００１２】
上記のような基台を使用する場合には、図５に示すように、底面を平坦にトリミングした印象模型Ａを接着剤で連結ピン部材２０のプレート２２上面に固着する。このとき、印象模型Ａの底面とプレート２２はほぼ同形にしてあるので、プレート２２と印象模型Ａの底面は丁度重なり合う。これは、プレート２２の成形型の形状、サイズを予めそのように標準設計しておくことによって可能である。勿論数種類のプレート２２をもった基台を用意しておき、適当なサイズのものを選択することもできる。そして、図５の鎖線で示すような切り目Ｃに沿って切断すると、プレート２２が確実に切り離され、図６に示すような歯形ブロックＢが切り出される。切り目Ｃは、ベース１１部分まで入れる必要はない。ランド１２に切り目Ｃが達すると、プレート２２が完全に切断されたことが目視で判別できる。特に、プレート２２とランド１２の色彩を異ならせておくとより容易に判別できる。また、プレート２２及びランド１２の前縁に突起１３及び凹部２３が設けられているので、ピン２４の位置を切断するおそれはない。切り出した歯形ブロックＢは、図６に示すように、プレート切断片２２ａが印象模型の歯肉部Ｄの底面と同形となって一体化し、その下面にピン２４の立っていることが保証されている。凹所２３ａに対応してピン２４が設けられているからである。
【００１３】
なお、図１乃至図５に示す実施形態では、前歯部模型用基台について説明したが、この発明は、それ以外に全顎模型用や、図７に示す片顎模型用、図８に示す汎用模型用の基台に適用できることは言うまでもない。また、突起１３と凹所２３を逆にしてプレート２２に突起を、ランド１２に凹所を設けてもよい。さらにベース部材１０に、咬合器に取り付け易くするための様々な加工を施すことができる。
【００１４】
【発明の効果】
この発明によれば、以上のように、一体成形したベース部材と一体成形した連結ピン部材を係合して基台とし、両者の係合部に凹凸を設け、この凹凸に対応して連結ピン部材のプレートにピンを設けたので、ピンの位置を確認して歯形ブロックを切り出すことができ、ピンをカッタで損傷するようなことがない。さらに、前記凹凸をピンの前後に設けることによって、切り出した歯形ブロックの回転防止効果がより高められ、凹凸をピン方向に高さ又は深さが小さくなるように傾斜させることによって、歯形ブロックのベースに対する密着性を高めることができ、完成した歯科補綴物の精度が高くなる利点を有する。
【図面の簡単な説明】
【図１】この発明の基台を示す平面図
【図２】同上の正面図
【図３】同上の分解断面図
【図４】同上の分解平面図
【図５】作業模型の正面図
【図６】切り出した歯形ブロックの斜視図
【図７】基台の他の例を示す平面図
【図８】基台のさらに他の例を示す平面図
【符号の説明】
１０  ベース部材
１１  ベース
１２  ランド
１３、１３ａ、１３ｂ  突起
１４  ピン挿入孔
２０  連結ピン部材
２２  プレート
２２ａ  プレート切断片
２３、２３ａ、２３ｂ  凹部
２４  ピン
Ａ  印象模型
Ｂ  歯形ブロック
Ｃ  切り目
Ｄ  歯肉部
【図１】
0004112732.tif 000002
【図２】
0004112732.tif 000003
【図３】
0004112732.tif 000004
【図４】
0004112732.tif 000005
【図５】
0004112732.tif 000006
【図６】
0004112732.tif 000007
【図７】
0004112732.tif 000008
【図８】
0004112732.tif 000009